(57)【要約】【課題】制御基板に対する不正行為を防止可能な基板ケースユニットを提供する。【解決手段】ケース本体１２０に対してケース蓋１３０が結合された状態を保持する閉止保持機構１４０が、ケース本体１２０の上内壁部１２８及び下内壁部１２９に形成された上部係止穴部１４１及び下部係止穴部１４２と、ケース蓋１３０の上側壁部１３４及び下側壁部１３５に形成され、ケース本体１２０に対してケース蓋１３０が結合されるときに、上間隙部Ｓ１及び下間隙部Ｓ２に向けて弾性変位してから上部係止穴部１４１及び下部係止穴部１４２に係止する上部係止爪１４３及び下部係止爪１４４と、上間隙部Ｓ１及び下間隙部Ｓ２を塞ぐ板状に形成され、上間隙部Ｓ１及び下間隙部Ｓ２に嵌入されて上部係止爪１４３及び下部係止爪１４４の上間隙部Ｓ１及び下間隙部Ｓ２に向けた変位を規制する上部プレート１４５及び下部プレート１４６とを有している。【選択図】図４
2014128426.tif 000002
【特許請求の範囲】
【請求項１】
開口部を有する箱状の第１ケース部材と、前記第１ケース部材に対して前記開口部を閉止するように結合された箱状の第２ケース部材とを備え、前記第１ケース部材に対して前記第２ケース部材が前記開口部を閉止するように結合されて形成されるケース内部に制御基板を収容する基板ケースユニットであって、
前記第１ケース部材に対して前記第２ケース部材が結合された状態を保持する閉止保持機構を備え、
前記第１ケース部材は、前記開口部を囲むように形成された外壁部と、前記外壁部の内側に該外壁部と略平行に延びるように形成された内壁部とを有し、
前記第２ケース部材は、前記第１ケース部材に対して前記第２ケース部材が結合された状態で前記内壁部の外側に隣接する側壁部を有し、前記第１ケース部材の前記外壁部と前記第２ケース部材の前記側壁部との間に間隙部が形成されるように構成され、
前記閉止保持機構は、前記第１ケース部材の前記内壁部に形成された第１係止部と、
前記第２ケース部材の前記側壁部に形成され、前記第１ケース部材に対して前記第２ケース部材を結合させる際に、前記側壁部とともに前記間隙部に向けて弾性変位してから前記第１係止部に係止し、前記第１ケース部材に対して前記第２ケース部材が結合された状態を保持する第２係止部と、
前記間隙部を塞ぐ板状に形成され、前記間隙部に嵌入されて前記第２係止部の前記間隙部に向けた変位を規制する変位防止部材とを有していることを特徴とする基板ケースユニット。
【請求項２】
前記変位防止部材は、前記第１ケース部材及び前記第２ケース部材の少なくともいずれかに固着されることを特徴とする請求項１に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を担っている。そのため、遊技機の制御基板は、偽造ＲＯＭへの差し替えや不正回路の付加などの不正行為の対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結して基板ケースを閉止状態にロックし、ケース蓋（もしくはケース本体）とその係合部との間を繋ぐ連結部をニッパ等の工具を用いて切り離さない限り基板ケースを開放不能にする不正開放防止機構が設けられている（例えば、特許文献１を参照）。
【先行技術文献】
【特許文献】
【０００４】
【特許文献１】特開２００４−６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のため、本発明に係る基板ケースユニットは、  開口部を有する箱状の第１ケース部材と、前記第１ケース部材に対して前記開口部を閉止するように結合された箱状の第２ケース部材とを備え、前記第１ケース部材に対して前記第２ケース部材が前記開口部を閉止するように結合されて形成されるケース内部に制御基板を収容する基板ケースユニットであって、前記第１ケース部材に対して前記第２ケース部材が結合された状態を保持する閉止保持機構を備え、前記第１ケース部材は、前記開口部を囲むように形成された外壁部と、前記外壁部の内側に該外壁部と略平行に延びるように形成された内壁部とを有し、前記第２ケース部材は、前記第１ケース部材に対して前記第２ケース部材が結合された状態で前記内壁部の外側に隣接する側壁部を有し、前記第１ケース部材の前記外壁部と前記第２ケース部材の前記側壁部との間に間隙部が形成されるように構成され、前記閉止保持機構は、前記第１ケース部材の前記内壁部に形成された第１係止部と、前記第２ケース部材の前記側壁部に形成され、前記第１ケース部材に対して前記第２ケース部材を結合させる際に、前記側壁部とともに前記間隙部に向けて弾性変位してから前記第１係止部に係止し、前記第１ケース部材に対して前記第２ケース部材が結合された状態を保持する第２係止部と、前記間隙部を塞ぐ板状に形成され、前記間隙部に嵌入されて前記第２係止部の前記間隙部に向けた変位を規制する変位防止部材とを有している。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】ぱちんこ遊技機の背面図である。
【図３】主制御基板ケースユニットの分解斜視図である。
【図４】（ａ）は主制御基板ケースユニットの斜視図であり、（ｂ）は主制御基板ケースユニットの側断面図である。
【図５】ケース本体に対してケース蓋を組み付ける過程を（ａ）〜（ｃ）の順に示す側断面図である。
【図６】上部プレート及び下部プレートを嵌入させる過程を（ａ）〜（ｃ）の順に示す側断面図である。
【発明を実施するための形態】
【００１０】
以下、本発明の好ましい実施形態について図面を参照して説明する。本実施形態に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板４１及び演出制御基板４２が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射及び払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００について図３〜図４を追加参照して説明する。なお、以降の説明においては、説明の便宜のため、上下及び左右前後の方向は、ぱちんこ遊技機ＰＭへの取付状態での方向として、図３の状態を基準にして定義しており、図３に示す矢印の方向をそれぞれ前後、左右、上下と称して説明する。ここで、図３は主制御基板ケースユニット１００の分解斜視図、図４（ａ）は主制御基板ケースユニット１００の斜視図、図４（ｂ）は主制御基板ケースユニット１００の側断面図である。
【００２０】
主制御基板ケースユニット１００は、ぱちんこ遊技機ＰＭにおける制御の中枢を担う前述の主制御基板４１と、主制御基板４１を内部に収容する基板ケース１１０とを主体に構成される。主制御基板４１は、長方形状のプリント基板１０２と、プリント基板１０２に実装された、遊技機制御用チップ１０４、抵抗器、コンデンサ、コネクタ等の電子・電気部品とを有して構成される。プリント基板１０２は、基板ケース１１０の蓋側底部１３１の内側に形成されたボス形状の基板取付部１０５に、基板ケース１１０の蓋側底部１３１（及び本体側底部１２１）と略平行になるようにビス止め固定される。また、プリント基板１０２における遊技機制御用チップ１０４の周辺部には、チップカバー１５０の保護壁部１５１，１５１，…が挿通される長方形状の６つの基板挿通穴１０３，１０３，…が遊技機制御用チップ１０４を囲むように並んで形成されている。
【００２１】
基板ケース１１０は、遊技盤１０の背面に着脱されるケース本体１２０と、このケース本体１２０に取り付けられ結合されるケース蓋１３０と、ケース本体１２０にケース蓋１３０が結合された閉止状態を保持する閉止保持機構１４０と、遊技機制御用チップ１０４の周囲を囲むチップカバー１５０とを有して構成される。ケース本体１２０及びケース蓋１３０は、透明な樹脂材料（例えば、熱可塑性樹脂）を用いて射出成形等の成形手段により箱状に形成され、外部からでも基板ケース１１０内を視認可能となっている。
【００２２】
ケース本体１２０は、後面側に開口部Ｈ１を有する矩形箱状に形成され、開口部Ｈ１側から見て長方形状の本体側底部１２１と、開口部Ｈ１の上下左右を囲む上外壁部１２４、下外壁部１２５、左外壁部１２６、及び右外壁部１２７とを有している。本体側底部１２１の内面側（後面側）には、チップカバー１５０の保護壁部１５１，１５１，…の先端部を受容して固着させる凹凸溝状の固着受容部１２２が長方形状に延びて形成されている。上外壁部１２４の内側（下方）には、上外壁部１２４と略平行に延びる上内壁部１２８が本体側底部１２１と略垂直に繋がって形成されている。下外壁部１２５の内側（上方）には、下外壁部１２５と略平行に延びる下内壁部１２９が本体側底部１２１と略垂直に繋がって形成されている。なお、上内壁部１２８及び下内壁部１２９の左右端部と左外壁部１２６及び右外壁部１２７との間にそれぞれ、ケース蓋１３０の左側壁部１３６及び右側壁部１３７を受容する切欠き部１２８ａ，１２９ａが形成されている。
【００２３】
ケース蓋１３０は、前面側に開口部Ｈ２を有する矩形箱状に形成され、開口部Ｈ２側から見て長方形状の蓋側底部１３１と、開口部Ｈ２の上下左右を囲む上側壁部１３４、下側壁部１３５、左側壁部１３６、及び右側壁部１３７とを有している。蓋側底部１３１の外面側（後面側）には、チップカバー１５０のプレート部１５２を受容して固着させるカバー取付部１３２が長方形に凹んで形成されている。また、カバー取付部１３２には、チップカバー１５０の保護壁部１５１，１５１，…が挿通される長方形状の６つの基板挿通穴１０３，１０３，…が形成されている。上側壁部１３４及び下側壁部１３５は、ケース本体１２０に対してケース蓋１３０が結合された状態で、ケース本体１２０の上内壁部１２８及び下内壁部１２９の外側にそれぞれ隣接するようになっている。
【００２４】
上側壁部１３４の外側（上方）には、上側壁部１３４と略平行に延びる上ガイド壁部１３８が左側壁部１３６及び右側壁部１３７に繋がって形成されている。なお、上側壁部１３４と上ガイド壁部１３８との間に上間隙部Ｓ１が前後に貫通して形成され、ケース本体１２０の上内壁部１２８と上外壁部１２４との間に上側壁部１３４及び上ガイド壁部１３８を受容可能な上受容空間Ｔ１が形成される。下側壁部１３５の外側（下方）には、下側壁部１３５と略平行に延びる下ガイド壁部１３９が左側壁部１３６及び右側壁部１３７に繋がって形成されている。なお、下側壁部１３５と下ガイド壁部１３９との間に下間隙部Ｓ２が前後に貫通して形成され、ケース本体１２０の下内壁部１２９と下外壁部１２５との間に下側壁部１３５及び下ガイド壁部１３９を受容可能な下受容空間Ｔ２が形成される。そして、上ガイド壁部１３８及び下ガイド壁部１３９は、ケース本体１２０に対してケース蓋１３０が結合された状態で、ケース本体１２０の上外壁部１２４及び下外壁部１２５の内側にそれぞれ隣接するようになっている。
【００２５】
閉止保持機構１４０は、ケース本体１２０に形成された上部係止穴部１４１及び下部係止穴部１４２と、ケース蓋１３０に形成された上部係止爪１４３及び下部係止爪１４４と、上部プレート１４５及び下部プレート１４６とを有して構成される。上部係止穴部１４１は、ケース本体１２０における上内壁部１２８の縁部近傍に、左右方向（上内壁部１２８の延伸方向）に６つ並んで形成される。下部係止穴部１４２は、ケース本体１２０における下内壁部１２９の縁部近傍に、左右方向（下内壁部１２９の延伸方向）に６つ並んで形成される。上部係止爪１４３は、ケース蓋１３０における上側壁部１３４の縁部に、左右方向（上側壁部１３４の延伸方向）に６つ並んで形成されており、ケース本体１２０に対してケース蓋１３０が取り付けられたとき上部係止穴部１４１に係止するように構成される。下部係止爪１４４は、ケース蓋１３０における下側壁部１３５の縁部に、左右方向（下側壁部１３５の延伸方向）に６つ並んで形成されており、ケース本体１２０に対してケース蓋１３０が取り付けられたとき下部係止穴部１４２に係止するように構成される。
【００２６】
上部プレート１４５は、透明な樹脂材料（例えば、熱可塑性樹脂）を用いて、射出成形等の成形手段により上間隙部Ｓ１を塞ぐ板状に形成される。下部プレート１４６は、透明な樹脂材料（例えば、熱可塑性樹脂）を用いて、射出成形等の成形手段により下間隙部Ｓ２を塞ぐ板状に形成される。上部プレート１４５及び下部プレート１４６は、上部係止爪１４３及び下部係止爪１４４をそれぞれ上部係止穴部１４１及び下部係止穴部１４２に係止させた後、上間隙部Ｓ１及び下間隙部Ｓ２にそれぞれ嵌入されてケース蓋１３０に溶着されるようになっている。また、上部プレート１４５及び下部プレート１４６の断面形状は、一端が結合されて他端側が所定間隔だけ離れた２層の板状に形成されており、上部プレート１４５及び下部プレート１４６の厚さが縮む方向の弾性変形に応じた弾性力を利用して、上部プレート１４５及び下部プレート１４６が上間隙部Ｓ１及び下間隙部Ｓ２にそれぞれ嵌入されるようになっている。
【００２７】
チップカバー１５０は、遊技機制御用チップ１０４の周囲を囲む６つの保護壁部１５１，１５１，…と、各保護壁部１５１，１５１，…を保持するプレート部１５２とを有して構成される。プレート部１５２は、各保護壁部１５１，１５１，…と一体的に形成され、ケース蓋１３０のカバー取付部１３２に固着されて取り付けられるようになっている。各保護壁部１５１，１５１，…は、プレート部１５２に対して垂直に延びる板状に形成され、プレート部１５２の裏面側（前面側）に長方形状に並んで配置される。これにより、プレート部１５２がカバー取付部１３２に取り付けられた状態で、各保護壁部１５１，１５１，…がそれぞれ各ケース挿通穴１３３，１３３，…に挿通され、ケース蓋１３０の蓋側底部１３１（カバー取付部１３２）から内側へ垂直に延びるようになっている。
【００２８】
［主制御基板ケースユニットの作用］
次に、主制御基板ケースユニット１００を組み立てる際の作用について、図５〜図６を追加参照して説明する。ここで、図５はケース本体１２０に対してケース蓋１３０を組み付ける過程を（ａ）〜（ｃ）の順に示す側断面図、図６は上部プレート１４５及び下部プレート１４６を嵌入させる過程を（ａ）〜（ｃ）の順に示す側断面図である。主制御基板ケースユニット１００を組み立てるには、まず、図５（ａ）に示すように、ケース蓋１３０の基板取付部１０５にプリント基板１０２を取り付けてビス止め固定する。これにより、ケース蓋１３０の蓋側底部１３１の内側に、蓋側底部１３１に対して遊技機制御用チップ１０４が対向するように主制御基板４１（プリント基板１０２）が取り付けられる。
【００２９】
次に、図５（ａ）〜（ｃ）の順に示すように、ケース本体１２０に対してケース蓋１３０を組み付けて結合させる。このとき、図５（ａ）〜（ｂ）に示すように、ケース蓋１３０がケース本体１２０に接近すると、閉止保持機構１４０の上部係止爪１４３及び下部係止爪１４４は、ケース本体１２０の上内壁部１２８及び下内壁部１２９にそれぞれ当接して外側に押圧され、ケース蓋１３０における上側壁部１３４及び下側壁部１３５の弾性変形を伴って、上間隙部Ｓ１及び下間隙部Ｓ２に向けて外側に弾性変位する。そして、図５（ｃ）に示すように、ケース蓋１３０の上ガイド壁部１３８及び下ガイド壁部１３９がケース本体１２０の本体側底部１２１に当接すると、閉止保持機構１４０の上部係止爪１４３及び下部係止爪１４４は、上側壁部１３４及び下側壁部１３５の弾性力を利用して内側に揺動変位し、ケース本体１２０に形成された上部係止穴部１４１及び下部係止穴部１４２にそれぞれ係止する。
【００３０】
これにより、閉止保持機構１４０の上部係止爪１４３及び下部係止爪１４４によって、ケース蓋１３０がケース本体１２０に対して結合された状態で係止保持される。このとき、ケース蓋１３０の上側壁部１３４及び下側壁部１３５がケース本体１２０における上内壁部１２８及び下内壁部１２９の外側に隣接し、ケース蓋１３０の上ガイド壁部１３８及び下ガイド壁部１３９がケース本体１２０における上外壁部１２４及び下外壁部１２５の内側に隣接する。この状態で、ケース蓋１３０の上側壁部１３４及び下側壁部１３５と上ガイド壁部１３８及び下ガイド壁部１３９との間に上間隙部Ｓ１及び下間隙部Ｓ２が形成されている。
【００３１】
次に、図６（ａ）〜（ｃ）の順に示すように、閉止保持機構１４０の上部プレート１４５及び下部プレート１４６を上間隙部Ｓ１及び下間隙部Ｓ２に嵌入させる。次に、溶剤を塗布して上部プレート１４５及び下部プレート１４６をケース蓋１３０に溶着させる。このとき例えば、図６（ｃ）に示すように、溶剤による樹脂の溶解によって上部プレート１４５の端部（後端部）に上部溶着部１４７が形成され、上部プレート１４５がこの上部溶着部１４７を介してケース蓋１３０の上側壁部１３４及び上ガイド壁部１３８に溶着される。同様に、溶剤による樹脂の溶解によって下部プレート１４６の端部（後端部）に下部溶着部１４８が形成され、下部プレート１４６がこの下部溶着部１４８を介してケース蓋１３０の下側壁部１３５及び下ガイド壁部１３９に溶着される。これにより、上間隙部Ｓ１及び下間隙部Ｓ２を塞ぐ上部プレート１４５及び下部プレート１４６によって、上部係止爪１４３及び下部係止爪１４４の上間隙部Ｓ１及び下間隙部Ｓ２に向けた変位が規制される。
【００３２】
そして、図６（ｃ）および図４（ｂ）に示すように、チップカバー１５０をケース蓋１３０に取り付けて固着させる。このとき、チップカバー１５０の保護壁部１５１，１５１，…を、ケース蓋１３０のケース挿通穴１３３，１３３，…と、主制御基板４１の基板挿通穴１０３，１０３，…とに挿通させて、チップカバー１５０のプレート部１５２をケース蓋１３０のカバー取付部１３２に受容させる。またこのとき、各保護壁部１５１，１５１，…の先端に溶剤を塗布してケース本体１２０の固着受容部１２２に溶着させるとともに、プレート部１５２の裏面側（前面側）に溶剤を塗布してカバー取付部１３２に溶着させる。これにより、主制御基板４１が基板ケース１１０の内部に収容され、基板ケース１１０の内部でさらに遊技機制御用チップ１０４が保護壁部１５１，１５１，…に囲まれて、主制御基板ケースユニット１００が組み立てられる。
【００３３】
従来の不正開放防止機構は、基板ケースの外側に設けられていたため、容易にアクセスし易く、開封の痕跡が残るとはいえ、基板ケースが不正に開封され易い構成となっていた。これに対し、本実施形態の主制御基板ケースユニット１００には、ケース蓋１３０の上側壁部１３４及び下側壁部１３５と、上ガイド壁部１３８及び下ガイド壁部１３９との間隙部（上間隙部Ｓ１及び下間隙部Ｓ２）に嵌入されて、上部係止爪１４３及び下部係止爪１４４の当該間隙部（上間隙部Ｓ１及び下間隙部Ｓ２）に向けた変位を規制する上部プレート１４５及び下部プレート１４６が設けられている。これにより、上部係止爪１４３及び下部係止爪１４４の係止部分が上部プレート１４５及び下部プレート１４６に塞がれて外部に露出しないため、ケース本体１２０に対してケース蓋１３０が結合された状態を保持する上部係止爪１４３及び下部係止爪１４４への外部からのアクセスが困難となる。そのため、基板ケース１１０の不正な開放をより確実に防止することが可能となり、主制御基板４１に対する不正行為をより確実に防止することができる。
【００３４】
なお、基板ケース１１０の内部を開放するためには、ケース本体１２０に形成された上部係止穴部１４１及び下部係止穴部１４２から上部係止爪１４３及び下部係止爪１４４を外す必要がある。そのためには、上部係止爪１４３及び下部係止爪１４４を（上間隙部Ｓ１及び下間隙部Ｓ２に向けて）外側に変位させる必要があり、上部プレート１４５及び下部プレート１４６に塞がれた部分をこじ開けて上間隙部Ｓ１及び下間隙部Ｓ２に相当する間隙を設けなければならない。これに対し、本実施形態では、上部プレート１４５が上部溶着部１４７を介してケース蓋１３０の上側壁部１３４及び上ガイド壁部１３８に固着され、下部プレート１４６が下部溶着部１４８を介してケース蓋１３０の下側壁部１３５及び下ガイド壁部１３９に固着されている。これにより、上部プレート１４５及び下部プレート１４６に塞がれた部分をこじ開けようとすると、上部溶着部１４７又は下部溶着部１４８が破壊されてその痕跡が残るため、主制御基板４１に対する不正なアクセスを容易に発見することができる。
【００３５】
また、本実施形態では、ケース本体１２０における長方形状の本体側底部１２１の長辺側に対応する上外壁部１２４及び下外壁部１２５の内側に、上部係止穴部１４１及び下部係止穴部１４２が形成された上内壁部１２８及び下内壁部１２９が形成され、ケース蓋１３０における長方形状の蓋側底部１３１の長辺側に対応する上側壁部１３４及び下側壁部１３５が上内壁部１２８及び下内壁部１２９の外側に隣接して、当該上側壁部１３４及び下側壁部１３５に形成された上部係止爪１４３及び下部係止爪１４４が上部係止穴部１４１及び下部係止穴部１４２に係止するようになっている。これにより、長方形状の長辺側に、上部係止穴部１４１及び下部係止穴部１４２と、上部係止爪１４３及び下部係止爪１４４とが設けられるため、上部プレート１４５及び下部プレート１４６が嵌入される範囲をできるだけ長くすることができる。そのため、基板ケース１１０の不正な開放をより確実に防止することが可能となり、主制御基板４１に対する不正行為をより確実に防止することができる。
【００３６】
また、本実施形態では、ケース蓋１３０において上内壁部１２８及び下内壁部１２９の外側に隣接する上側壁部１３４及び下側壁部１３５と、上外壁部１２４及び下外壁部１２５の内側に隣接する上ガイド壁部１３８及び下ガイド壁部１３９との間に、上間隙部Ｓ１及び下間隙部Ｓ２が形成される。これにより、上部プレート１４５及び下部プレート１４６に隣接する壁部の厚さを厚くすることができるため、上部プレート１４５及び下部プレート１４６に塞がれた部分をこじ開けにくくなる。そのため、基板ケース１１０の不正な開放をより確実に防止することが可能となり、主制御基板４１に対する不正行為をより確実に防止することができる。
【００３７】
また、本実施形態では、上部係止穴部１４１及び下部係止穴部１４２が上内壁部１２８及び下内壁部１２９の延伸方向に複数並んで形成され、上部係止爪１４３及び下部係止爪１４４が上側壁部１３４及び下側壁部１３５の延伸方向に複数並んで形成されている。これにより、基板ケース１１０の内部を開放するためには、複数回にわたり上部係止穴部１４１及び下部係止穴部１４２から上部係止爪１４３及び下部係止爪１４４を外す必要があるため、基板ケース１１０の内部を開放するために多くの手間を要してその痕跡も多数残ることになる。そのため、主制御基板４１に対する不正なアクセスを容易に発見することができる。
【００３８】
また、従来の基板ケースユニットは、ケース蓋の一部を凹ませて遊技機制御用チップとの隙間を小さくすることで、遊技機制御用チップがプリント基板から浮かせられない構成となっていた。これにより、遊技機制御用チップを交換する不正行為を防止できるが、遊技機制御用チップに対する不正なアクセスを防止する要望もあった。これに対し、本実施形態の主制御基板ケースユニット１００には、ケース蓋１３０の蓋側底部１３１の内側に垂直に延びるように設けられ、プリント基板１０２の複数の基板挿通穴１０３，１０３，…に挿通されて遊技機制御用チップ１０４の周囲を囲む複数の保護壁部１５１，１５１，…と、ケース本体１２０の本体側底部１２１の内側に設けられ、複数の保護壁部１５１，１５１，…の先端部が固着される固着受容部１２２とが備えられている。これにより、遊技機制御用チップ１０４の周囲が複数の保護壁部１５１，１５１，…に囲まれているため、遊技機制御用チップ１０４に対する不正なアクセスをより確実に防止することが可能となり、主制御基板４１に対する不正行為をより確実に防止することができる。また、各保護壁部１５１，１５１，…の先端部がケース本体１２０に設けられた固着受容部１２２に固着されるため、基板ケース１１０の不正な開放をより確実に防止することが可能となり、主制御基板４１に対する不正行為をより確実に防止することができる。
【００３９】
また、本実施形態では、複数の保護壁部１５１，１５１，…を保持するプレート部１５２がケース蓋１３０のカバー取付部１３２に外側から取り付けられる。これにより、プレート部１５２に保持された複数の保護壁部１５１，１５１，…を複数のケース挿通穴１３３，１３３，…に挿通させることで、各保護壁部１５１，１５１，…を主制御基板４１が取り付けられる蓋側底部１３１の内側に容易に設けることができる。
【００４０】
また、本実施形態では、遊技機制御用チップ１０４がケース蓋１３０の蓋側底部１３１と対向するように、プリント基板１０２が蓋側底部１３１の内側に取り付けられ、複数の保護壁部１５１，１５１，…を保持するプレート部１５２が蓋側底部１３１の外側に凹設されたカバー取付部１３２に取り付けられる。これにより、ケース蓋１３０の一部を凹ませて遊技機制御用チップ１０４との隙間を小さくすることで、遊技機制御用チップ１０４をプリント基板１０２から浮かせることが困難となり、遊技機制御用チップ１０４に対する不正なアクセスを防止しつつ、遊技機制御用チップ１０４を交換する不正行為を防止することができる。
【００４１】
また、本実施形態では、プレート部１５２がカバー取付部１３２に固着されて取り付けられる。これにより、保護壁部１５１及びプレート部１５２が複数箇所でケース本体１２０及びケース蓋１３０に固着されるため、遊技機制御用チップ１０４にアクセスするためにチップカバー１５０の取り外しに多くの手間を要してその痕跡も多数残ることになる。そのため、遊技機制御用チップ１０４に対する不正なアクセスを容易に発見することができる。
【００４２】
上述の実施形態において、チップカバー１５０の保護壁部１５１が６つ設けられているが、これに限られるものではなく、遊技機制御用チップ１０４の大きさに応じて、遊技機制御用チップ１０４の周囲を囲むように複数設けられていればよい。また、各保護壁部１５１，１５１，…は、ケース蓋１３０の蓋側底部１３１に一体的に形成されるようにしてもよい。また、ケース本体１２０の本体側底部１２１に各保護壁部１５１，１５１，…が形成され、ケース蓋１３０の蓋側底部１３１に固着受容部１２２が形成されるようにしてもよい。
【００４３】
上述の実施形態において、上部係止穴部１４１及び下部係止穴部１４２と、上部係止爪１４３及び下部係止爪１４４とが、それぞれ６つずつ設けられているが、これに限られるものではなく、ケース本体１２０とケース蓋１３０の大きさに応じて複数設けられていればよい。
【００４４】
上述の実施形態において、ケース本体１２０の上内壁部１２８及び下内壁部１２９に上部係止穴部１４１及び下部係止穴部１４２が設けられ、ケース蓋１３０の上側壁部１３４及び下側壁部１３５に上部係止爪１４３及び下部係止爪１４４が設けられているが、これに限られるものではなく、ケース本体１２０の上内壁部１２８及び下内壁部１２９に係止爪が設けられ、ケース蓋１３０の上側壁部１３４及び下側壁部１３５に係止穴部が設けられてもよい。
【００４５】
上述の実施形態において、ケース本体１２０の（長方形状の長辺側の）上外壁部１２４及び下外壁部１２５の内側に（上部係止穴部１４１及び下部係止穴部１４２が形成された）上内壁部１２８及び下内壁部１２９が形成され、ケース蓋１３０の（上部係止爪１４３及び下部係止爪１４４が形成された）上側壁部１３４及び下側壁部１３５が上内壁部１２８及び下内壁部１２９の外側に隣接するように構成されているが、これに限られるものではない。例えば、ケース本体１２０の（長方形状の短辺側の）左外壁部１２６及び右外壁部１２７の内側に（上部係止穴部及び下部係止穴部が形成された）左内壁部及び右内壁部（図示せず）が形成され、ケース蓋１３０の（上部係止爪及び下部係止爪が形成された）左側壁部１３６及び右側壁部１３７が当該左内壁部及び右内壁部の外側に隣接するように構成されてもよい。なおこの場合、ケース蓋１３０における左側壁部１３６及び右側壁部１３７の外側に、ケース本体１２０の左外壁部１２６及び右外壁部１２７の内側に隣接する左ガイド壁部及び右ガイド壁部（図示せず）が形成され、ケース蓋１３０の左側壁部１３６及び右側壁部１３７と左ガイド壁部及び右ガイド壁部との間に、上間隙部及び下間隙部（図示せず）が形成される。
【００４６】
上述の実施形態において、ケース蓋１３０は、上ガイド壁部１３８及び下ガイド壁部１３９を有しているが、これに限られるものではなく、上ガイド壁部１３８及び下ガイド壁部１３９を有していなくてもよい。なおこの場合、ケース本体１２０の上内壁部１２８及び下内壁部１２９の外側に隣接したケース蓋１３０の上側壁部１３４及び下側壁部１３５と、ケース本体１２０の上外壁部１２４及び下外壁部１２５との間に、上間隙部及び下間隙部が形成され、当該上間隙部及び下間隙部に上部プレート１４５及び下部プレート１４６が嵌入される。
【００４７】
上述の実施形態において、上部プレート１４５及び下部プレート１４６が２層の板状に形成されているが、これに限られるものではなく、上間隙部Ｓ１及び下間隙部Ｓ２への嵌入が可能であれば、１枚の板状に形成されてもよい。
【００４８】
上述の実施形態において、上部プレート１４５及び下部プレート１４６をケース蓋１３０に溶着させているが、これに限られるものではなく、例えば、ケース本体１２０の本体側底部１２１にも溶着させるようにしてもよく、ケース本体１２０とケース蓋１３０との少なくともいずれかに固着させる構成であればよい。また、上部プレート１４５及び下部プレート１４６の嵌め合いが強固な場合には、溶着を行わないようにしてもよい。
【００４９】
上述の実施形態において、溶剤を塗布して上部プレート１４５及び下部プレート１４６をケース蓋１３０に溶着させているが、これに限られるものではない。また、チップカバー１５０の保護壁部１５１，１５１，…の先端に溶剤を塗布してケース本体１２０の固着受容部１２２に溶着させるとともに、プレート部１５２の裏面側（前面側）に溶剤を塗布してケース蓋１３０のカバー取付部１３２に溶着させているが、これに限られるものではない。例えば、熱溶着等の他の溶着手段を用いて溶着を行うようにしてもよい。また、溶着以外の固着手段として、例えば、フェノール樹脂系やエポキシ系、エチレン系の接着剤等を用いて接着を行うようにしてもよい。
【００５０】
上述の実施形態において、基板ケース１１０には、閉止保持機構１４０に加え、ケース本体１２０に対してケース蓋１３０が閉止状態で結合されたときに、ケース本体１２０の側に形成した係合部（図示せず）とケース蓋１３０の側に形成した係合部（図示せず）とが係合連結して基板ケース１１０を閉止状態にロックし、ケース蓋１３０（もしくはケース本体１２０）とその係合部との間を繋ぐ連結部をニッパ等の工具を用いて切り離さない限り基板ケース１１０を開放不能にする（従来型の）不正開放防止機構が設けられてもよい。
【００５１】
上述の実施形態において、主制御基板ケースユニット１００が閉止保持機構１４０とチップカバー１５０とを備えているが、閉止保持機構１４０とチップカバー１５０とのうちいずれか一方を備えた構成であってもよい。なお、閉止保持機構１４０とチップカバー１５０とのうちチップカバー１５０のみを備えた基板ケースとして、例えば、ケース本体に対してケース蓋をスライド移動させて着脱するスライド開閉型の基板ケースや、ケース本体に対してケース蓋をヒンジ軸を中心として揺動させて着脱するヒンジ開閉型の基板ケースに適用することも可能である。
【００５２】
上述の実施形態において、本発明に係る基板ケースユニットとして主制御基板ケースユニット１００を例示して説明したが、これに限られるものではなく、演出制御基板ケースユニット２００や払出制御基板ケースユニット３００等に適用してもよい。なおこの場合、チップカバー（保護壁部及びプレート部）は、ＣＰＵ（Central  Processing  Unit）やＲＯＭ（Read  Only  Memory）等が一体化された遊技機制御用チップに限らず、単体で設けられたＣＰＵやＲＯＭ等の所定の電子部品の周囲を囲む構成とすることが可能である。
【００５３】
上述の実施形態において、本発明に係る基板ケースユニットを備えた遊技機として、ぱちんこ遊技機ＰＭを例示して説明したが、これに限定されるものではなく、例えば、アレンジボール、雀球遊技機、スロットマシンなどについても同様に適用し、同様の効果を得ることができる。
【符号の説明】
【００５４】
ＰＭ  ぱちんこ遊技機
４１  主制御基板（制御基板）
１００  主制御基板ケースユニット（基板ケースユニット）
１０２  プリント基板
１０３  基板挿通穴
１０４  遊技機制御用チップ（電子部品）
１１０  基板ケース
１２０  ケース本体（第１ケース部材）
１２１  本体側底部
１２２  固着受容部（固着部）
１２４  上外壁部
１２５  下外壁部
１２６  左外壁部
１２７  右外壁部
１２８  上内壁部
１２９  下内壁部
１３０  ケース蓋（第２ケース部材）
１３１  蓋側底部
１３２  カバー取付部（プレート取付部）
１３３  ケース挿通穴
１３４  上側壁部
１３５  下側壁部
１３６  左側壁部
１３７  右側壁部
１３８  上ガイド壁部
１３９  下ガイド壁部
１４０  閉止保持機構
１４１  上部係止穴部（第１係止部）
１４２  下部係止穴部（第１係止部）
１４３  上部係止爪（第２係止部）
１４４  下部係止爪（第２係止部）
１４５  上部プレート（変位防止部材）
１４６  下部プレート（変位防止部材）
１５０  チップカバー
１５１  保護壁部
１５２  プレート部
Ｈ１  開口部
Ｓ１  上間隙部
Ｓ２  下間隙部
【図１】
2014128426.tif 000003
【図２】
2014128426.tif 000004
【図３】
2014128426.tif 000005
【図４】
2014128426.tif 000006
【図５】
2014128426.tif 000007
【図６】
2014128426.tif 000008